(57)【要約】      （修正有）【課題】通気及びマッサージの効果を効率よく発揮する多機能変化健康靴を提供する。【解決手段】ポンプ原理を利用した空気圧縮蓋１１靴パッド１を有し、空気圧縮蓋１１の後底部内側に吸気閉鎖ピストン１１０が設けられ、空気圧縮蓋１１の前部内側に排気閉鎖ピストン１１１が設けられ、空気圧縮蓋１１の前部１０２に複数の滑り止め突起円点１４が設けられており、湾曲状突起導風条１２により気流を外側の上下排気溝口１３０へ方向転換させ底部及び防護縁１０３溝口１３を介して履き口部方向に向かって排気する靴パッド通気システムである。気流方向の円滑な均一化によって、歩行中に靴内の通気及び換気を継続的に行えるため、柔軟なマッサージ機能を兼ね備える。また、半パッド式の各種機能の変化を有し、機能を十分発揮できるため、靴において通気換気できない重要な課題を解決できる。さらに、浅口布靴を横型履き口部を有するゴム紐靴から紐なし靴に改良し、浅口革靴及び浅筒運動靴の紐あり靴を紐なし靴に改良する。【選択図】図１Ａ
0003194713.tif 000002
【実用新案登録請求の範囲】
【請求項１】
隠し靴べらを有する紐なし靴または隠し靴べらを有する紐編み上げなし靴である多機能変化健康靴であって、
空気圧縮蓋を有し、全パッド式または半パッド式であり、ポンプ原理を利用し、前記空気圧縮蓋の後底部内側に吸気閉鎖ピストンが設けられ、前記空気圧縮蓋の前部内側に排気閉鎖ピストンが設けられた靴パッドと、
前記空気圧縮蓋の前方に設けられた複数の滑り止め突起円点と、
前記靴パッドを上下に貫通する排気溝口と、
前記排気溝口に連通され、前記靴パッドの底部及び前記靴パッドの防護縁に位置する溝口と、
湾曲状突起となっており、前記空気圧縮蓋の前方に設けられ、外側の前記排気溝口へ方向転換し、気流を前記底部及び前記防護縁に位置する前記溝口を介して履き口部方向に向かって排気するように案内することで、通気システムを形成する導風条と、
を備えることを特徴とする多機能変化健康靴。
【請求項２】
前記靴パッドは、通気換気靴パッドであり、その種類がパーム型空気圧縮蓋を有する全パッド式靴パッド、及び半パッド式靴パッドを含むことを特徴とする請求項１に記載の多機能変化健康靴。
【請求項３】
前記靴パッドは、隠し底上げ構成の構造を有することを特徴とする請求項１に記載の多機能変化健康靴。
【請求項４】
前記靴パッドは、可動蓋式マッサージ構成の構造を有することを特徴とする請求項１に記載の多機能変化健康靴。
【請求項５】
前記靴パッドは、半パッド式であり、靴底または全パッド式靴底の上、下と結合する凹凸構成を有し、他の全パッド式靴パッドとなることを特徴とする請求項１に記載の多機能変化健康靴。
【請求項６】
靴底中部内側に位置し、弾性と風力とを相互変換させるように高さを漸次高く調整するための微凸条をさらに含むことを特徴とする請求項１に記載の多機能変化健康靴。
【請求項７】
靴底に位置する炒り鍋型凹孔と、前記炒り鍋型凹孔に収容された弾性パッド底とをさらに含むことを特徴とする請求項１に記載の多機能変化健康靴。
【請求項８】
靴底に位置する炒り鍋型凹孔と、前記炒り鍋型凹孔に収容された硬質パッド底および前記靴パッドの貫通孔と、をさらに含み、つまみネジで前記硬質パッド底に挿入し、前記つまみネジを回動させることにより高さを調整してマッサージの強弱を調整することを特徴とする請求項１に記載の多機能変化健康靴。
【請求項９】
前記紐なし靴は、その足防護蓋内面に設けられた気圧型ブロックと、弾圧型ブロックと、ポケット型ブロックとをさらに含むことを特徴とする請求項１に記載の多機能変化健康靴。
【請求項１０】
前記紐編み上げなし靴は、浅口型革靴及び浅筒型運動靴であり、少なくとも一端に靴面開合辺上のフック孔に嵌入されるフックを有する、タン上方に設けられた弾性帯を含むことを特徴とする請求項１に記載の多機能変化健康靴。
【考案の詳細な説明】
【技術分野】
【０００１】
本考案は、靴に関し、特に多機能変化健康靴に関するものである。
【背景技術】
【０００２】
従来、通気効果を有すると宣伝されている靴、ないし受賞した特許製品は、構造に問題があったり、孔や小バンプが設けられたことで通気マッサージ機能を有すると強調しているが、実際には、靴内部の熱気対流、滑り止めまたは弾性ブロックベースによる皮膚マッサージを行っているだけで、土踏まず筋膜にまで深く入っておらず、土踏まずのマッサージを確実に行うことができない。さらに、靴内においてマッサージが行われると、温度が上昇してしまうため、効率よく通気換気する靴でなければ、副作用のないマッサージ効果を達成することはできない。
【０００３】
この点、本考案者がかつて考案した空気ポンプ原理で構成された空気圧縮蓋を有する靴パッドは、歩行により通気を行うことができ、例えばイギリス等の国々を始め、アメリカ特許第４６３３５９７号（特許文献１）、日本実用新案登録第２０００７７４号（特許文献２）、中国実用新案出願第ＺＬ９２２３３５３９．７号（特許文献３）、台湾実用新案第９９８７６号（特許文献４）、台湾実用新案第６４０６９号（特許文献５）、イタリア特許第９９８７６号（特許文献６）、ドイツ特許第９２１４６５３．８号（特許文献７）、韓国審査番号第２９−２２１８８６号（特許文献８）として特許出願されている。
【先行技術文献】
【特許文献】
【０００４】
【特許文献１】アメリカ特許第４６３３５９７号
【特許文献２】日本実用新案登録第２０００７７４号
【特許文献３】中国実用新案出願第ＺＬ９２２３３５３９．７号
【特許文献４】台湾実用新案第９９８７６号
【特許文献５】台湾実用新案第６４０６９号
【特許文献６】イタリア特許第９９８７６号
【特許文献７】ドイツ特許第９２１４６５３．８号
【特許文献８】韓国審査番号第２９−２２１８８６号
【考案の概要】
【考案が解決しようとする課題】
【０００５】
しかしながら、上記各特許文献の靴パッドでは、通気システムが確立されていないため、通気換気の不良による不具合があり、通気及びマッサージの効果を効率よく発揮することができない。
【０００６】
従って、従来技術の欠点を解決することは、重要な課題となっている。
【０００７】
そこで、本考案者は、健康を主題とし、機能合理化を目標とし、靴内の足の接触面を題材とし、人体工学物性、ポンプ原理及び構成技術を方法とすることにより、多機能健康靴を実現し、人が靴を履く上での健康における理想を追求してきた。本考案者は、通気システムを統合改良することで、波の後波が前波を押し出すように、気流を足内側から足外側へ方向転換させ、方向を円滑に均一にすることができ、ユーザが、歩行中に靴内の通気換気を継続的に行いながらマッサージを行う機能を兼ね備え、血液循環、新陳代謝作用を促進することができる靴を長きにわたって探求してきた。
【課題を解決するための手段】
【０００８】
上記の課題を解決するために、本考案に係る多機能変化健康靴は、ポンプ原理を利用した空気圧縮蓋靴パッドを有し、空気圧縮蓋の後底部内側に吸気閉鎖ピストンが設けられ、空気圧縮蓋の前部内側に排気閉鎖ピストンが設けられ、空気圧縮蓋の前部に複数の滑り止め突起円点が設けられており、湾曲状突起導風条により外側の上下排気溝口へ方向転換し底部及び防護縁溝口を介して履き口部方向に向かって排気する靴パッド通気システムである。気流方向の円滑な均一化によって、歩行中に靴内の通気及び換気を継続的に行うことができるため、柔軟なマッサージを行う機能を兼ね備えたものとなっている。また、半パッド式の各種機能の変化を有し、機能を十分発揮することができるため、靴において通気換気ができないという重要な課題を解決することができる。本考案はさらに、浅口布靴を横型履き口部を有するゴム紐靴を紐なし靴に改良し、浅口革靴及び浅筒運動靴の紐あり靴を紐なし靴に改良する、靴を履く上での問題を改善する新規な方法を含む。
【０００９】
上記多機能変化健康靴では、通気換気靴パッドは、全パッド式パーム型空気圧縮蓋靴パッドを本考案の基本型靴パッドとするものである。半パッド式多機能変化健康靴は、（１）隠し底上げ構成の靴パッド、（２）可動蓋式マッサージ構成の靴パッド、（３）パーム型の各種機能の変化構成を含む。パーム型の各種機能の変化構成には、以下が挙げられる。（Ａ）ヒールまたは後部が十分厚い靴底に炒り鍋型凹孔が設けられ、弾性パッド底を有する。（Ｂ）代わりにネジを中心硬質金属パッド底とし靴パッドに合わせて孔を空け、つまみネジを挿入して上下に回動させることでヒールによる強弱マッサージを調整することができ、機能作用を自ら適宜調整可能である。（Ｃ）全パッド式パッド底中部内側における、蓋内を満たすまで漸次高くすることのできる低い長尺状の弾性物体によって、弾性と風力との相互変換を調整することができ、気候変化に適応する機能構成である。全パッド式パッド底は、靴底上面の構成（上下結合型構成をも含む）を含む。
【００１０】
上記多機能変化健康靴では、浅口布靴、履き口部横型ゴム紐が失効しやすくなり、構成上の欠陥があるため、（１）気圧型ブロック、（２）弾圧型ブロック、（３）ポケット型ブロックの３つの実施例の方法で改良するとともに紐なし靴と改称する。
【００１１】
上記多機能変化健康靴によれば、浅口紐あり皮靴及び浅筒紐あり運動靴は、靴内に長さ、厚さ、幅が適切な隠し靴べら及び弾性ゴム紐が設けられ、両端が金属片と組み合わせられて平らなフックとして作成され、本来の紐の円形孔を縦型長方形フック孔に変更することにより、弾性紐がフックに嵌入される。弾性紐の一部の引っ張りにより両端皮（布）面を引き下げ、残余の弾性紐の引っ張りは、歩行時の靴の跳ねに十分対応する固定作用機能を有する。この弾力フック紐の運用には、可動フックを使用しつつ、固定型を使用するものが含まれる。
【図面の簡単な説明】
【００１２】
【図１Ａ】本考案に係る多機能変化健康靴の第１の実施例の頂面斜視図である。
【図１Ｂ】本考案に係る多機能変化健康靴の第１の実施例の底面斜視図である。
【図１Ｃ】図１Ａにおける空気圧縮蓋のＣ−Ｃ線の弾圧断面図である。
【図１Ｄ】図１Ａにおける空気圧縮蓋のＣ−Ｃ線の弾圧断面図である。
【図２Ａ】本考案に係る多機能変化健康靴の第２の実施例の頂面斜視図である。
【図２Ｂ】本考案に係る多機能変化健康靴の第２の実施例の底面斜視図である。
【図２Ｃ】本考案に係る多機能変化健康靴の隠し底上げ構成の異なる態様の反面及び正面局所斜視図である。
【図２Ｄ】本考案に係る多機能変化健康靴の隠し底上げ構成の異なる態様の反面及び正面局所斜視図である。
【図３Ａ】本考案に係る靴パッドの第３の実施例の頂面斜視図である。
【図３Ｂ】本考案に係る可動蓋式マッサージ構成の異なる態様の斜視図である。
【図３Ｃ】本考案に係る可動蓋式マッサージ構成の異なる態様の斜視図である。
【図３Ｄ】本考案に係る可動蓋式マッサージ構成の異なる態様の斜視図である。
【図４Ａ】本考案に係る多機能変化健康靴の靴パッドの第４の実施例の頂面斜視図である。
【図４Ｂ】本考案に係る多機能変化健康靴の靴パッドの第４の実施例の底面斜視図である。
【図４Ｃ】第４の実施例の靴パッドの各種のパッド底の断面図である。
【図４Ｄ】第４の実施例の靴パッドの各種のパッド底の断面図である。
【図４Ｅ】本考案に係る靴底及び全パッド式パッド底に炒り鍋型凹孔が設けられた上面斜視図である。
【図５Ａ】本考案に係る多機能変化健康靴の斜視図である。
【図５Ｂ】本考案に係る紐なし靴改良の異なる態様の斜視図である。
【図５Ｃ】本考案に係る紐なし靴改良の異なる態様の斜視図である。
【図５Ｄ】本考案に係る紐なし靴改良の異なる態様の斜視図である。
【図６Ａ】本考案に係る多機能変化健康靴の斜視図である。
【図６Ｂ】図６Ａの弾性紐の局所拡大斜視図である。
【考案を実施するための形態】
【００１３】
以下、具体的な実施例を用いて本発明の実施形態を説明する。この技術分野に精通した者は、本明細書の記載内容によって簡単に本発明のその他の利点や効果を理解できる。
【００１４】
また、明細書に添付する図面に示す構造、比例、寸法等は、この技術分野に属する者が理解できるように明細書に記載の内容に合わせて説明されるものであり、本考案の実施を制限するものではないため、技術上の実質的な意味を有せず、いかなる構造の修飾、比例関係の変更又は寸法の調整も、本考案の効果及び目的に影響を与えるものでなければ、本考案に開示された技術内容の範囲に入る。また、明細書に記載の例えば「上」、「下」、「左」、「右」、「前」、「後」、「頂」、「底」、「内側」、「外側」、「一」等の用語は、説明が容易に理解できるようにするためのものであり、本考案の実施可能な範囲を限定するものではなく、その相対関係の変更又は調整は、技術内容の実質的変更がなければ、本考案の実施可能の範囲と見なされる。
【００１５】
本考案に係る多機能変化健康靴の第１の実施例は、図１Ａ及び図１Ｂに示すように、パーム型空気圧縮蓋１１を有する全パッド式靴パッド１を含む。上記靴パッド１は、パッド体１０と、空気圧縮蓋１１と、複数の湾曲状突起の導風条１２と、溝口１３とを含む。
【００１６】
上記パッド体１０は、全パッド式靴パッド１となるように、足裏、土踏まず及びその筋膜弾性に応じて構成されており、頂面１０ａと底面１０ｂ、左側（足の方向で言えば、足内側である。以下、内側１０ｃという）と右側（足の方向で言えば、足外側である。以下、外側１０ｄという）、及び、前端１０ｅと後端１０ｆを有し、内側１０ｃ、外側１０ｄ、前端１０ｅ及び後端１０ｆは、パッド体１０の側面を形成する。さらに、パッド体１０は、ヒール部１００（足の方向で言えば、踵が置かれる部位である）と、ヒール部１００に対向する前部１０２（足の方向で言えば、足のつま先が置かれる部位である）と、ヒール部１００と前部１０２との間に位置する中部１０１（足の方向で言えば、足裏が置かれる部位である）とに区分けされる。また、パッド体１０の側面は、防護縁１０３を有し、例えばパッド体１０の内側１０ｃ、外側１０ｄ、中部１０１及び後端１０ｆの周縁は、連続する防護縁１０３を有する。
【００１７】
上記空気圧縮蓋１１は、ポンプ原理を利用し、中部１０１の内側１０ｃに隆起し、頂面１０ａに突出することで、パーム型空気圧縮蓋１１となり、靴底（図示せず）とで弾圧空間Ｆが形成される。図１Ｃに示すように、空気圧縮蓋１１は、ヒール部１００の内側１０ｃの一部に延在するのが好ましい。空気圧縮蓋１１は、パッド体１０と一体成形可能である。さらに、空気圧縮蓋１１は、その後底部の内側１０ｃに位置する吸気閉鎖ピストン１１０とその前頂部の内側１０ｃに位置する排気閉鎖ピストン１１１とを有し、吸気閉鎖ピストン１１０は、側面底部に位置し凹状となっており（靴底とで弾性インレットが形成される）、ヒール部１００に隣接する。排気閉鎖ピストン１１１は、ピストンを弾圧し頂面１０ａに開設され、前部１０２に隣接している。具体的には、吸気閉鎖ピストン１１０及び排気閉鎖ピストン１１１は、図１Ａに示すように、ピストン構造であり、防護縁１０３は、吸気閉鎖ピストン１１０（または排気閉鎖ピストン１１１）に対応する、寸法の適切な排気閉鎖口として調整可能な他の排気閉鎖ピストン１０３ａを有する。
【００１８】
上記導風条１２は、空気圧縮蓋１１の前方に設けられ、排気閉鎖ピストン１１１に対応してパッド体１０の頂面１０ａに設けられ、前部１０２に位置し、内側１０ｃ及び外側１０ｄの方向に向けて湾曲し延設されることで、導風条１２の一端が排気閉鎖ピストン１１１に隣接し、空気圧縮蓋１１からの気流を方向転換して外側１０ｄに案内する。
【００１９】
上記溝口１３は、底面１０ｂに位置し、外側１０ｄの防護縁１０３に設けられ、外側１０ｄの気流を、図の矢印ｔの方向に示すように、履き口部に案内して靴外に排出する。好ましくは、溝口１３は、底面１０ｂにまで延在され、底面１０ｂの空気を靴外に案内し、パッド体１０を上下に傾斜貫通する排気溝口１３０をさらに形成し、溝口１３と導風条１２の周囲とを連通し、導風条１２によって案内された頂面１０ａの気流を溝口１３に案内することにより、気流を靴外に案内する。他の態様において、溝口１３の排気路１３ａを高くすることにより、気流の案内に寄与する。靴側面上方に排気孔を設けてもよい。
【００２０】
また、図１Ａに示すように、前部１０２の頂面１０ａには、足裏のマッサージまたは滑り止め用の滑り止め突起円点１４が複数設けられている。
【００２１】
また、図１Ｂに示すように、パッド体１０の底面１０ｂには、例えば香りシートのような脱臭薬剤またはその他の機能性物質が搭載される、前部１０２に近接する香りシート収容室１５がさらに設けられている。好ましくは、香りシート収容室１５は、空気圧縮蓋１１と連通し、気流を供給することで香りを拡散させることができる。
【００２２】
本考案に係る靴パッド１を応用した場合、靴パッド１を靴底（図５Ａに示す靴底５０ａ）に置き入れることで、空気圧縮蓋１１と靴底との間に、空気を収容する弾圧空間Ｆ（図１Ｃ参照）が形成される。歩行時に、空気圧縮蓋１１を足で踏むことで、空気圧縮蓋１１が圧力を受けて変形し、図１Ｄに示すように、弾圧空間Ｆ内の空気を押圧して風に変換し、さらに排気閉鎖ピストン１１１から押し出し（図１Ａの矢印ｒ参照）、さらに導風条１２を介して排気溝口１３０（図１Ａの矢印ｒ’参照）に案内し、溝口１３（図１Ａの矢印ｔ参照）から履き口部外に案内する。踵を上げた場合、空気は、吸気閉鎖ピストン１１０を介して弾圧空間Ｆ内に入り（図１Ａの矢印ｒ”参照）、空気圧縮蓋１１内の空気を補充する。このように歩行することにより通気及び換気を継続的に行う効果を奏することができ、空気圧縮蓋１１及び導風条１２の構成により足裏マッサージとして機能することができる。気流方向の円滑な均一化によって、歩行中に靴内の通気及び換気を継続的に行うことができ、柔軟なマッサージ効果を兼ね備えている。
【００２３】
さらに、足を踏み込んだ後、空気圧縮蓋１１内には、図１Ｄに示すように、残余空間Ｓがある。
【００２４】
本考案に係る多機能変化健康靴の第２の実施例は、図２Ａ、図２Ｂに示すように、全蓋型空気圧縮蓋１１’と、隠し底上げ構成を有する半パッド式靴パッド２とを含む。上記靴パッド２は、パッド体１０’と、空気圧縮蓋１１’と、導風条１２と、溝口１３とを含む。以下、本実施例と第１の実施例との相違点についてのみ説明することとし、同一箇所については詳細を省略する。
【００２５】
上記パッド体１０’は、隣接したヒール部１００と中部１０１とに区分けされ、半パッド式靴パッド２となる。上記空気圧縮蓋１１’は、ヒール部１００を満たし中部１０１の内側１０ｃにまで延在し、全蓋型空気圧縮蓋１１’となる。好ましくは、空気圧縮蓋１１’は、ヒール部１００の周囲に位置する防護縁１０３に連結されることで、空気量が増加する。上記導風条１２は、中部１０１の前端１０ｅに位置し、その一端が排気閉鎖ピストン１１１に近接し、他端が排気溝口１３０に近接する。
【００２６】
さらに、図２Ｃに示すように、底面１０ｂまたは頂面１０ａの空気圧縮蓋１１’に対応する位置に、通気孔２１０を有する底上げパッド２１（各種の弾性材質からなる）を隠し空気圧縮蓋として設けることができ、空気量及び高度を増加するができ、通気を有する内パッドとなる。一方、図２Ｄに示すように、ヒール底上げ構成２１０’の底上げパッド２１’を隠し空気圧縮蓋として靴ヒールの内側表面に縦に当接させることで、空気量及び高さを増加することができ、ヒール底上げ構成２１０’（破線箇所）を高くすることができ、これにより、ユーザは、適切な底上げパッド２１、２１’を選択することができる。
【００２７】
本考案は、上記選択に応じて構成することができ、空気圧縮蓋１１’の空気量を増加することができる。
【００２８】
本考案に係る多機能変化健康靴の第３の実施例は、図３Ａに示すように、全蓋型空気圧縮蓋１１’を有し、可動蓋式マッサージ構成を有する半パッド式靴パッド３を含む。以下、本実施例と第２の実施例との相違点についてのみ説明することとし、同一箇所については詳細を省略する。
【００２９】
上記パッド体１０’の頂面１０ａには、マッサージ用の円柱状のマッサージ蓋３０が設けられている。マッサージ蓋３０は、その両端がそれぞれ前端１０ｅ、後端１０ｆに向けるように設けられている。この実施例において、空気圧縮蓋１１’の中央箇所は、マッサージ蓋３０の設置のために、厚くされている。好ましくは、マッサージ蓋３０は、例えば矩形状の嵌合孔３００、３００’、３００”（マッサージ蓋３０を貫通していない）を複数有し、マッサージ付加蓋３１（図において反面で示す）は、その嵌合ブロック３１ａにより嵌合孔３００、３００’、３００”に嵌入され、マッサージ蓋３０を被覆し、高さを調整することでマッサージを行う。
【００３０】
さらに、必要に応じて異なるマッサージアセンブリを配置することができる。図３Ｂに示すマッサージアセンブリ３２は、嵌合ブロック３２０が中間の嵌合孔３００に嵌入することで、マッサージ蓋３０にまたがってマッサージアセンブリ３２をパッド体１０’にロックし、左右のマッサージを調整する。一方、図３Ｃに示すマッサージアセンブリ３２’は、後端に位置する嵌合孔３００’に嵌合することができ、マッサージアセンブリ３２’をマッサージ蓋３０の後端に架設した後、前後のマッサージを調整することができる。また、図３Ｄに示すように、マッサージアセンブリ３２”を前端に位置する嵌合孔３００”に嵌合し、マッサージアセンブリ３２”をマッサージ蓋３０の前端に架設し、導風条１２に接触させ、前後のマッサージを調整することもできる。従って、異なる要求に応じて足裏の前後左右高さを調整してマッサージを行うことができ、個人に応じて部位をいつでも調整することができる。
【００３１】
本考案に係る多機能変化健康靴の第４の実施例は、図４Ａ〜４Ｅに示すように、パーム型空気圧縮蓋１１’を有し各種機能変化構成を有する靴パッド４を含む。以下、本実施例と上記実施例との相違点についてのみ説明することとし、同一箇所については詳細を省略する。
【００３２】
上記パッド体１０’は、半パッド式（図４Ａ及び図４Ｂ参照）であり、そのヒール部１００の底面１０ｂの中間に弾性パッド底４０（例えば図４Ｂ及び図４Ｃに示す鍋底形弾性バンプ）が選択的に結合され、靴ヒールを有するパッド底９（または厚さの厚い靴底。図４Ｅの破線参照）の全パッド式底パッド９ａの炒り鍋型凹孔９０（図４Ｃ及び図４Ｅ参照）に収容される。
【００３３】
この実施例において、パッド体１０’は、パッド底９と上下に結合するように構成されている。具体的には、パッド体１０’の底面１０ｂには結合円孔１０４が、パッド底９の全パッド式底パッド９ａには結合短円柱９１がそれぞれ設けられ、結合円孔１０４により結合短円柱９１と嵌合することで、パッド体１０’がパッド底９の全パッド式底パッド９ａに係止され、全パッド式パッド底となる。パッド体１０’は、他の半パッド式パッド体に係止し、全パッド式パッド底となることもできる。一方、パッド体１０’は、上下が靴底内に結合されてもよい。
【００３４】
上記空気圧縮蓋１１”は、中部１０１の内側１０ｃに位置し、パーム型空気圧縮蓋１１”となる。空気圧縮蓋１１”は、図４Ｂに示すように、ヒール部１００の内側１０ｃの一部に延在するが、その位置は弾性パッド底４０とは重なっていない。
【００３５】
本実施例に係る靴パッド４は、足裏の柔軟なマッサージ及び通気換気のほか、パッド底９の全パッド式底パッド９ａに炒り鍋型凹孔９０が開設されることにより、同一寸法（即ち凹孔と面一である）の弾性パッド底４０（靴パッド４の底面１０ｂの相対位置に接着され、または靴パッド４と一体成形とされることができる）を収容することで、弾性と風力との相互変換を強化することができる。
【００３６】
他の態様において、図４Ｄに示すように、炒り鍋型凹孔９０において頂面１０ａを露出する調整可能式硬質パッド底を形成する。具体的には、パッド体１０’は、貫通孔１０５を有することで、硬質パッド底を貫通孔１０５に露出させる。例えば、硬質パッド底は、炒り鍋型金属パッド底４００、貫通孔１０５に挿入し金属パッド底４００にロックするためのつまみネジ４０１を含み、つまみネジ４０１を回転することにより高さを調整してマッサージし、マッサージ機能の強弱を調整することができる。
【００３７】
さらに、パッド底９の全パッド式底パッド９ａに、空気圧縮蓋１１”に対応し空気圧縮蓋１１”内を満たすまで漸次高くすることができる弾性湾曲状の微凸条９２を設けてもよい。微凸条９２の高さは、空気圧縮蓋１１”が足で押下げられるときに生じた余分な空間（例えば図１Ｄに示す残余空間Ｓ）内の空気を押圧することで、換気を速やかに且つ徹底的に行うことができ、弾性と風力との相互変換を調整することができ、気候の変化に適応することができる。
【００３８】
また、パッド底９の全パッド式底パッド９ａ（または靴底内）に、上述した導風条１２’または上述した滑り止め突起円点１４’を増設することもできる。
【００３９】
また、パッド体１０は、上述した弾性パッド底４０、硬質パッド底４０’を有し、または靴底（またはパッド底９）上の一部の構成を含むように変更することもできる。
【００４０】
本考案に係る多機能変化健康靴の第５の実施例は、図５Ａに示すように、紐なし靴５である。本実施例において、靴５は、紐なし型であり、例えば浅口革靴であり、靴体５０と、上記各実施例の靴パッド１、２、３、４とを含む。靴パッドに関するいずれの特徴も、上述した内容を参照することができ、ここでは詳しい説明を省略する。
【００４１】
上記靴体５０は、足を収容する足履き空間５００と、足履き空間５００に連通し、足が足履き空間５００に出入りする履き口部５０１と、足履き空間５００の上方に位置し、足の甲を被覆する足防護蓋５１とを備える。
【００４２】
上記靴パッド１、２、３、４は、靴体５０の足履き空間５００内に設けられ、パッド体１０、１０’の底面１０ｂは、靴体５０の靴底５０ａの内表面に接触し、パッド体１０、１０’の頂面１０ａは、履き口部５０１に露出することで足裏を搭載する。
【００４３】
好ましくは、足防護蓋５１の内表面に取り外し可能な足防護蓋を増設することができる。図５Ｂに示すように、取り外し可能な足防護蓋は、排気小孔５３０を有する気圧式ブロック５３であってもよく、複数のネジ５３ａにより気圧式ブロック５３を足防護蓋５１の内面に螺着することができ、足防護蓋５１の内面に接合することもできる。図５Ｃに示すように、取り外し可能な足防護蓋は、ネジ５３ａが挿入される貫通孔５３０’を有する弾圧式ブロック５３’であってもよく、足防護蓋５１の内面に接着することもできる。図５Ｄに示すように、取り外し可能な足防護蓋は、ポケット５３１を有するポケット式ブロック５３”であってもよく、必要に応じてポケット５３１内に各種の補助シート、例えば弾性材、緩衝材等を設けることもできる。
【００４４】
本実施例において、ネジ５３ａで取り外し可能な足防護蓋を固定することを主とし、特製のネジ（例えばスクリューロッドをナットと分離させるものである）を選択的に使用し、各種の変化可能なナット５３ｂを変更することで、外観及び識別として機能し、一方、一部または全部の固定方法として、接着等その他の方法を利用してもよい。
【００４５】
本考案に係る多機能変化健康靴の第６の実施例は、図６Ａないし図６Ｂに示すように、紐編み上げなし靴６である。以下、本実施例と上述実施例との相違点についてのみ説明することとし、同一箇所については詳細を省略する。
【００４６】
上記靴６は、靴体６０と、上記各実施例の靴パッド１、２、３、４とを含む。上記靴体６０は、足履き空間６００の上方に位置して足の甲を被覆するためのタン６１と、タン６１の左右両側縁の上方に位置する靴面開合辺６２と、タン６１の上方に跨設され、タン６１を押圧するための弾性帯６３、６３’とを含む。
【００４７】
図６Ｂに示すように、本実施例において、弾性帯６３、６３’の一端（または両端）には、金属片からなる平らなフック６３０が設けられており、靴面開合辺６２上の縦型長方形フック孔６２０に嵌入され、フック６３０は、圧錘法により弾性帯６３、６３’に固着される。
【００４８】
使用時に、まず弾性帯６３、６３’の部分を引っ張って引っかけ固定し、歩行時に、弾性帯６３、６３’の弾力により歩行の弾性作用に対応することで、緩過ぎたりきつ過ぎたりする現象を回避する。
【００４９】
本考案は、弾性帯６３、６３’及びその引っかけ方法により、紐編み上げの手間を解消し、簡単、便利、速いといった要求に応じることができる。
【００５０】
また、第５及び第６の実施例において、靴体５０、６０の後端には、踵が足履き空間５００、６００に容易に入るように、軟質材隠し靴べら７０を有してもよい。
【００５１】
本実施例において、上記隠し靴べら７０は、一端が靴体５０、６０内に固定（縫製または接合）され、他端が靴体５０、６０に接合可能に設けられている。例えば、靴のヒールの外表面（または内表面）及び隠し靴べら７０に面ファスナー７１を設け、隠し靴べら７０を引き剥がすことにより隠し靴べら７０を形成する。また、隠し靴べら７０を形成するために、隠しボタン等その他の方法により隠し靴べら７０を固定してもよい。
【００５２】
従来の靴べらと比較すると、本考案に係る隠し靴べら７０は、引き抜きが容易で、手間がかからず、歩行時に靴のヒールの内表面または外表面に接合することができるため、外観の完全性に影響を及ぼすことはない。また、隠し靴べら７０を引き上げた場合、下向きの傾斜を有するため、踵を靴体５０、６０の足履き空間５００、６００内に容易に入れることができる。また、隠し靴べら７０は、軟質材であるため、湾曲固定が容易になる。
【００５３】
上記のように、本考案は、靴内足裏マッサージ機能を実現するためのものであり、健康促進のみならず、歩行時に足裏マッサージを行うことができるため、手間がかからずにすむ。
【００５４】
さらに、本考案に係るマッサージ蓋、マッサージ付加蓋、空気圧縮蓋内を満たすまで漸次高くすることのできる弾性と風力との相互変換を調整可能な長尺状の微凸条等は、必要に応じて足裏の異なる位置をマッサージすることができるように追加、交換することができるため、血液循環を促進することができる。
【００５５】
また、空気圧縮蓋が側面に連結する構成、香りシート収容室、底上げパッド及び弾性パッド底（または硬質パッド底）等の構成は、いずれも必要に応じて半パッド式または全パッド式パッド体、若しくはパーム型または全蓋型空気圧縮蓋に適用することができる。
【００５６】
以上は、本考案の好ましい実施例に過ぎず、本考案の実施の範囲を限定するためのものではなく、本考案の明細書及び図面内容に基づいてなされた均等な変更および付加は、いずれも本考案の特許請求の範囲内に含まれるものである。
【符号の説明】
【００５７】
１，２，３，４  靴パッド、１０，１０’  パッド体、１０ａ  頂面、１０ｂ  底面、１０ｃ  内側、１０ｄ  外側、１０ｅ  前端、１０ｆ  後端、１００  ヒール部、１０１  中部、１０２  前部、１０３  防護縁、１０３ａ  排気閉鎖ピストン、１０４  結合円孔、１０５  貫通孔、１１，１１’，１１”  空気圧縮蓋、１１０  吸気閉鎖ピストン、１１１  排気閉鎖ピストン、１２，１２’  導風条、１３  溝口、１３ａ  排気路、１３０  排気溝口、１４，１４’  滑り止め突起円点、１５  香りシート収容室、２１，２１’  底上げパッド、２１０  通気孔、２１０’  ヒール底上げ構成、３０  マッサージ蓋、３００，３００’，３００”  嵌合孔、３１  マッサージ付加蓋、３１ａ，３２０  嵌合ブロック、３２，３２’，３２”  マッサージアセンブリ、４０  弾性パッド底、４００  炒り鍋型金属パッド底、４０１  つまみネジ、５，６  靴、５０，６０  靴体、５０ａ  靴底、５００，６００  足履き空間、５０１  履き口部、５１  足防護蓋、５３  気圧式ブロック、５３’  弾圧式ブロック、５３”  ポケット式ブロック、５３ａ  ネジ、５３ｂ  変化可能ナット、５３０  排気小孔、５３０’  貫通孔、５３１  ポケット、６１  タン、６２  靴面開合辺、６２０  縦型長方形フック孔、６３，６３’  弾性帯、６３０  フック、７０  隠し靴べら、７１  面ファスナー、９  パッド底、９ａ  全パッド式底パッド、９０  炒り鍋型凹孔、９１  結合短円柱、９２  微凸条、Ｆ  弾圧空間、Ｓ  残余空間、ｔ，ｒ，ｒ’，ｒ”  矢印。
【図１Ａ】
0003194713.tif 000003
【図１Ｂ】
0003194713.tif 000004
【図１Ｃ】
0003194713.tif 000005
【図１Ｄ】
0003194713.tif 000006
【図２Ａ】
0003194713.tif 000007
【図２Ｂ】
0003194713.tif 000008
【図２Ｃ】
0003194713.tif 000009
【図２Ｄ】
0003194713.tif 000010
【図３Ａ】
0003194713.tif 000011
【図３Ｂ】
0003194713.tif 000012
【図３Ｃ】
0003194713.tif 000013
【図３Ｄ】
0003194713.tif 000014
【図４Ａ】
0003194713.tif 000015
【図４Ｂ】
0003194713.tif 000016
【図４Ｃ】
0003194713.tif 000017
【図４Ｄ】
0003194713.tif 000018
【図４Ｅ】
0003194713.tif 000019
【図５Ａ】
0003194713.tif 000020
【図５Ｂ】
0003194713.tif 000021
【図５Ｃ】
0003194713.tif 000022
【図５Ｄ】
0003194713.tif 000023
【図６Ａ】
0003194713.tif 000024
【図６Ｂ】
0003194713.tif 000025